(57)【要約】  本教示は、塞栓と係合し、それを捕捉し、回収するデバイスおよび方法を提供する。具体的には、本教示の一態様は、全体的に円筒形の本体を備えるデバイスを提供し、その近位端は送達システムに接合し、複数のセルがその管腔表面を形成する。円筒形本体は半径方向に拡張するときに軸方向に回転するように構成される。本教示の別の態様は、一方が他方の中に配置された２つの細長い本体を備えるデバイスを提供する。デバイスが半径方向に拡張するとき、両方の細長い本体は独立して軸方向に回転するように構成される。【選択図】図１１Ａ
2021511853.tif 000002
【特許請求の範囲】
【請求項１】
塞栓捕捉デバイスであって、
遠位端、近位端、前記遠位端から前記近位端まで延びる軸方向管腔、および管腔表面を有する細長いステント本体と、
前記細長いステント本体をプッシャシャフトに取り付ける少なくとも２つの接続ストラットと、を備え、
前記細長い本体の前記管腔表面は複数のセルを有し、
各セルは、遠位端、近位端、および前記遠位端と前記近位端の両方を通って延びるセル軸を有し、
少なくとも１つのセルは、前記細長い本体の長手方向軸と鋭角を形成するセル軸を有し、
前記塞栓捕捉デバイスは、いずれの軸方向位置においても、その周囲全体にわたって同一の材料質量を有するように構成され、
前記塞栓捕捉デバイスは、送達中は半径方向に潰れたプロファイルを有し、展開時には半径方向に拡張されたプロファイルを有する、
塞栓捕捉デバイス。
【請求項２】
各セルが２つのストラットによって形成され、少なくとも１つのセルは、少なくとも１つの他のセルとは異なるストラットプロファイルを有する、請求項１に記載の塞栓捕捉デバイス。
【請求項３】
少なくとも１つのセルが、前記セルの前記遠位端と前記近位端との間の前記セル軸の中心を横切って対称になるように構成された２つの波型プロファイルのストラットによって形成される、請求項１に記載の塞栓捕捉デバイス。
【請求項４】
全てのセルが、互いに平行な前記セル軸を有する、請求項１に記載の塞栓捕捉デバイス。
【請求項５】
前記デバイスが、時計回りの回転で軸方向に回転するように構成される、請求項１に記載の塞栓捕捉デバイス。
【請求項６】
前記デバイスが、反時計回りの回転で軸方向に回転するように構成される、請求項１に記載の塞栓捕捉デバイス。
【請求項７】
各セルが高さおよび長さを有し、少なくとも１つのセルが、少なくとも１つの他のセルとは異なる高さ対長さの比を有する、請求項１に記載の塞栓捕捉デバイス。
【請求項８】
前記デバイスが、半径方向に拡張するときに、第１の方向に軸方向に回転し、その後、反対方向に軸方向に回転するように構成される、請求項７に記載の塞栓捕捉デバイス。
【請求項９】
前記デバイスが、半径方向に拡張するときに、第１の回転速度で軸方向に回転し、続いて第２の回転速度で軸方向に回転するように構成される、請求項１に記載の塞栓捕捉デバイス。
【請求項１０】
前記デバイスが、半径方向に拡張するときに、第１のトルク強度で軸方向に回転し、続いて第２のトルク強度で軸方向に回転するように構成される、請求項１に記載の塞栓捕捉デバイス。
【請求項１１】
塞栓捕捉デバイスであって、
遠位端、近位端、前記遠位端から前記近位端まで延びる軸方向管腔、および管腔表面を有する内側ステント本体と、
前記内側ステント本体をプッシャシャフトの遠位端に取り付ける少なくとも２つの接続ストラットと、
遠位端、近位端、前記遠位端から前記近位端まで延びる軸方向管腔、および管腔表面を有する外側ステント本体と、
前記外側ステント本体を前記プッシャシャフトの前記遠位端の近位の前記プッシャシャフトの遠位部分に取り付ける少なくとも２つの接続ストラットと、を備え、
前記内側ステント本体が前記外側ステント本体の前記軸方向管腔内に配置され、
前記内側ステント本体の前記遠位端が、前記外側ステント本体の前記遠位端を越えて延び、
前記デバイスが、送達中は半径方向に潰れたプロファイルを有し、展開時には半径方向に拡張されたプロファイルを有する、
塞栓捕捉デバイス。
【請求項１２】
前記内側ステント本体の前記管腔表面が複数のセルを有し、
各セルが、遠位端、近位端、および前記遠位端と前記近位端の両方を通って延びるセル軸を有し、
少なくとも１つのセル軸が、前記細長い本体の長手方向軸と鋭角を形成する、
請求項１２に記載の塞栓捕捉デバイス。
【請求項１３】
前記外側ステント本体の前記管腔表面が複数のセルを有し、
各セルが、遠位端、近位端、および前記遠位端と前記近位端の両方を通って延びるセル軸を有し、
少なくとも１つのセル軸が、前記細長い本体の長手方向軸と鋭角を形成する、
請求項１２に記載の塞栓捕捉デバイス。
【請求項１４】
前記内側ステント本体および前記外側ステント本体のうちの少なくとも一方が、前記デバイスが前記半径方向に拡張されたプロファイルに展開されるときに軸方向に回転するように構成される、請求項１２に記載の塞栓捕捉デバイス。
【請求項１５】
前記内側ステント本体が第１の方向に軸方向に回転するように構成され、前記外側ステント本体が前記第１の方向と反対の方向に軸方向に回転するように構成される、請求項１２に記載の塞栓捕捉デバイス。
【請求項１６】
前記内側ステント本体が第１の回転速度で軸方向に回転するように構成され、前記外側ステント本体が第２の回転速度で軸方向に回転するように構成される、請求項１２に記載の塞栓捕捉デバイス。
【請求項１７】
前記内側ステント本体が第１のトルク強度で軸方向に回転するように構成され、前記外側ステント本体が第２のトルク強度で軸方向に回転するように構成される、請求項１２に記載の塞栓捕捉デバイス。
【請求項１８】
前記内側および外側ステント本体の少なくとも一方が、半径方向に拡張するときに、第１の方向に軸方向に回転し、続いて反対方向に軸方向に回転するように構成される、請求項１２に記載の塞栓捕捉デバイス。
【請求項１９】
前記内側および外側ステント本体の少なくとも一方が、半径方向に拡張するときに、第１の回転速度で軸方向に回転し、続いて第２の回転速度で軸方向に回転するように構成される、請求項１２に記載の塞栓捕捉デバイス。
【請求項２０】
前記内側ステント本体の遠位端が前記外側ステント本体の前記遠位端の遠位に配置される、請求項１２に記載の塞栓捕捉デバイス。
【発明の詳細な説明】
公序良俗違反のため、不掲載とする。
【図１】
2021511853.tif 000003
【図２Ａ】
2021511853.tif 000004
【図２Ｂ】
2021511853.tif 000005
【図２Ｃ】
2021511853.tif 000006
【図３】
2021511853.tif 000007
【図４Ａ】
2021511853.tif 000008
【図４Ｂ】
2021511853.tif 000009
【図５Ａ】
2021511853.tif 000010
【図５Ｂ】
2021511853.tif 000011
【図６】
2021511853.tif 000012
【図７】
2021511853.tif 000013
【図８】
2021511853.tif 000014
【図９】
2021511853.tif 000015
【図１０】
2021511853.tif 000016
【図１１Ａ】
2021511853.tif 000017
【図１１Ｂ】
2021511853.tif 000018
【図１２Ａ】
2021511853.tif 000019
【図１２Ｂ】
2021511853.tif 000020
【図１３Ａ】
2021511853.tif 000021
【図１３Ｂ】
2021511853.tif 000022
【図１４】
2021511853.tif 000023
【国際調査報告】
2021511853.tif 000024